(57)【要約】【課題】戦艦大和のような軍艦の外観を模した意匠的効果の高い厚紙製の弁当等の容器を提供する。【解決手段】船倉２を船型の船底部分２１と、該船底部分２１の両側において、船底部分２１と中央部で繋がる壁部２２とで構成し、両壁部２２を船底部分２１に対し略直角に折曲げて船首側及び船尾側において船底部分に沿わせ、切込み２３を噛み合わせて連結し、弁当等が入れられるようにする。蓋となる甲板３は船底部分２１と略同形をなし、折込み部分３１を折り曲げた状態で船倉２に装着される。艦橋４と砲塔５、６、７、８、９が厚紙を折曲げて形成され、甲板３に差込んで取付けられ、表面には大砲や高射砲が砲台４２、４３、６５、８６と共に描かれる。【選択図】図１
0003117297.tif 000002
【実用新案登録請求の範囲】
【請求項１】
船底部分及び該船底部分の両側において船底部分と繋がる壁部とからなり、両壁部を船底部分に対し折り曲げると共に、両端部のうち、少なくとも一方の端部を船底部分に沿わせて湾曲させ、その端部同士を第１の連結手段で連結して形成した船倉と、該船倉の開口部に取外し可能に装着されるか、或いは開閉可能に連結され、蓋として機能する甲板と、箱状に組付けられ、前記甲板に第２の連結手段により取付けられる艦橋及び少なくとも一つの砲塔とからなり、甲板上面、砲塔及び艦橋外面には少なくとも高射砲、大砲等が描かれることを特徴とする全体が厚紙等で形成される弁当等の容器。
【請求項２】
砲塔が複数、１枚の紙よりくり抜いて連続して組立てられることを特徴とする請求項１記載の弁当等の容器。
【考案の詳細な説明】
【技術分野】
【０００１】
本考案は、例えばご飯と惣菜を詰めた折詰弁当、幕の内弁当、駅弁等の容器として、或いはカレーライスやハヤシライス、焼きソバやスパゲッティ等を入れた容器、レトルト食品を入れた容器等（以下、弁当等の容器という）などとして用いられ、外観形状を例えば戦艦大和のような軍艦を模した紙製の弁当等の容器に関する。
【背景技術】
【０００２】
コンビニ、スーパー、デパート等で販売される弁当等の容器としては、蓋が透明で、内容が目視できるようになっているものが多く、機能重視で意匠について配慮されていないものが多い。厚紙製の弁当等の容器もあり、この容器の蓋に各種図形や模様を印刷したものも知られる。
【考案の開示】
【考案が解決しようとする課題】
【０００３】
最近、戦艦大和に関する映画のクランプアップなどで、戦艦大和が話題に上り始め、地域によっては大和にまつわる博物館や各種のイベントが挙行されて、地域振興の一端を担っている。
【０００４】
本考案は、こうした戦艦大和のような軍艦の外観を模した意匠的効果の高い厚紙製の弁当等の容器を提供することを目的とする。
【課題を解決するための手段】
【０００５】
請求項１に係る考案の弁当等の容器は、全体が厚紙製で、船底部分及び該船底部分の両側において船底部分と繋がる壁部とからなり、両壁部を船底部分に対し折り曲げると共に、両端部のうち、少なくとも一方の端部を船底部分に沿わせて湾曲させ、その端部同士を第１の連結手段で連結して形成した船倉と、該船倉の上方の開口部に取外し可能に装着されるか、或いは開閉可能に連結され、蓋として機能する甲板と、箱状に組付けられ、前記甲板に第２の連結手段により取付けられる艦橋及び少なくとも一つの砲塔とからなり、甲板上面、砲塔及び艦橋外面には少なくとも高射砲、大砲等が描かれることを特徴とする。
【０００６】
本発明における第１及び第２の連結手段としては、例えば一方に形成される切込みと、他方に形成され、切込みに差込まれる突片、一方及び他方に形成され、互いに差込まれる切込み、接着剤等を例示することができ、第１及び第２の連結手段は同じものであっても異なっていてもよい。
【０００７】
請求項２に係る考案は、請求項１に係る考案の弁当等の容器において、砲塔が複数、１枚の紙よりくり抜いて連続して組立てられることを特徴とする。
【考案の効果】
【０００８】
請求項１に係る考案の弁当等の容器によると、外観が軍艦を模した形態及び模様を表した意匠効果の高いものとなること、船倉、甲板、砲塔がそれぞれ厚紙より組立てられるため、弁当等の容器を容易かつ安価に得ることができること、紙のため着色が容易で、軍艦が備える大砲や高射砲等を描くことが容易にできること、等の効果を奏する。
【０００９】
請求項２に係る考案の弁当等の容器によると、複数の砲台を容易かつ安価に製作することができる。
【考案を実施するための最良の形態】
【００１０】
図１は、本考案に係る弁当等の容器１を側面から見た図で、船倉２と、蓋として機能する開閉可能な甲板と、該甲板に組付けられる艦橋４及び複数の砲塔５、６、７、８、９よりなり、いずれもそれぞれ厚紙を組み立てて形成されている。
【００１１】
すなわち船倉２は、図２の展開図に示すように、舟形をなす船底部分２１と該船底部分２１の両側において、船底部分２１と中央部で繋がる壁部２２とからなり、両壁部２２はそれぞれ船首側が幅広に形成されて端部に第１の連結部分となる切込み２３が入れられ、また船尾側の端部にも切込み２３と逆向きの第１の連結部分となる切込み２４が入れられている。そして喫水線２５を境として下側の船底部分側及び船底部分２１が褐色に、喫水線２５より上側の壁部２２が水色と灰色の中間的なネイビーブルーに着色されている。図中、点線は折れ線を示す（以下の図においても同様である）。組付け時においては、両壁部２２を点線部分で船底部分２１に対し同方向にほぼ直角に折曲げ、更に船首側において船底部分２１に沿い折曲げて、互いの切込み２３を噛み合わせて連結する。そして船尾側においても同様に両壁部２２を船底部分２１に沿って折曲げ、互いの切込み２４を噛み合わせて連結する。
【００１２】
図３は、以上のようにして組付けられた船倉２を示し、これに弁当等が入れられるようにしてある。
【００１３】
船倉２の蓋として用いられる甲板３は、図４の展開図に示すように、前記船底部分２１と略同形をなし、両舷と船首側に折込み部分３１が形成され、船首と船尾部分を除く部分が木目調に、他が折込み部分３１を含めネイビーブルーに着色されている。
【００１４】
甲板３にはまた、中央部に差込用の切込み３２が所要数形成されていると共に、その両側に高射砲を備えた砲台３３と機銃の銃座３４が多数描かれ、また船尾側にはカタパルト３５が描かれている。蓋である甲板３を船倉２に装着するときには、各折込み部分３１を点線部分で下向きに折曲げ、前記壁部２２に沿わせて船倉２に押込む。
【００１５】
艦橋４を構成する部分は、表面がネイビーブルーに着色されて、図５の展開図に示すように十字形を形成する各辺４１が台形をなしており、各辺４１にはそれぞれ大砲と高射砲の砲台４２、４３が多数描かれ、四つの辺４１のうち、三辺４１には端部に甲板３の前記切込み３２に差込まれる差込片４４を有している。そして残りの一辺４１には、砲塔５、６を構成する部分が連結部１１を介して一連に繋がって形成されている。
【００１６】
砲塔５を形成する部分は、後述の砲塔６についても同様であるが、表面がネイビーブルーに着色されて、上面になる部分５１と、連結部１１に続く前面になる部分５２及び後面になる部分５３と、側面になる部分５４を有し、また砲台６を形成する部分は、上面になる部分６１と、前面になる部分６２及び後面になり、かつ連結部１１に接続される部分６３と、側面になる部分６４を有し、前記上面となる部分６１には、高射砲を備えた砲台６５が描かれている。そして砲塔５、６を形成する側面部分５４及び６４の端部には、甲板３の切込み３２に差込まれる差込片５６及び６６が形成されている。
【００１７】
甲板３への艦橋４と砲塔５及び６の組付けは、艦橋４の各辺４１を点線部分で折り曲げて載頭四角錐の艦橋４を形成すると共に、砲台５及び６の前面になる部分５２及び６２、後面になる部分５３及び６３、側面になる部分５４及び６４を点線部分で折り曲げて平面視が台形をなす箱状の砲塔５及び６を組立てる（図６）。ついで艦橋４の差込片４４と、各砲塔５及び６の差込片５６及び６６を甲板３の切込み３２に差込んで組付ける。
【００１８】
図７は、甲板３の船首側に組みつけられる砲塔の展開図を示すもので、各砲塔７、８、９を構成する部分が前述の砲塔５、６と同様、連結部５１で接続されると共に、砲塔の上面になる部分７１、８１、９１と、前面になる部分７２、８２、９２と、後面になる部分７３、８３、９３と、側面になる部分７４、８４、９４と、甲板３の切込み３２に差込まれる差込片７５、８５、９５を有している。そして砲塔８の上面になる部分８１には、高射砲を備えた砲台８６が描かれている。
【００１９】
砲台７、８、９の組付けは、砲台７、８、９になる部分を点線部分で折り曲げて平面視で台形をなす箱状の砲塔７、８、９を組立て、ついで差込み片７５、８５、９５をそれぞれ甲板３の対応する切込み３２に差込むことにより行う。
【００２０】
以上のような組付けによって図１に示すような弁当等の容器が形成され、使用時においては、蓋である甲板３を外した状態で船倉２に弁当を入れ、甲板３で蓋をする。甲板３を取外すときには、例えば船尾側を掴んで持上げることにより、容易に取外すことができる。
【００２１】
上述する実施形態では、甲板３が取外されるようになっているが、別の実施形態では、甲板３が例えば舷或いは船尾側で船倉に屈折可能に連結され、開閉可能とされる。
【図面の簡単な説明】
【００２２】
【図１】本考案に係る弁当等の容器の側面図。
【図２】船倉の展開図。
【図３】船倉の組立図。
【図４】甲板の展開図。
【図５】艦橋と砲台の展開図。
【図６】同組立図。
【図７】砲台の展開図。
【符号の説明】
【００２３】
１・・弁当等の容器
２・・船底部分
３・・甲板
４・・艦橋
５、６、７、８、９・・砲塔
１１、５１・・連結部
２１・・船底部分
２２・・壁部
２３、２４・・切込み
２５・・喫水線
３１・・折込み部分
３２・・切込み
３３、４２、４３、６５、８６・・砲台
３４・・銃座
３５・・カタパルト
４１・・辺
４４、５６、６６・・差込み片
【図１】
0003117297.tif 000003
【図２】
0003117297.tif 000004
【図３】
0003117297.tif 000005
【図４】
0003117297.tif 000006
【図５】
0003117297.tif 000007
【図６】
0003117297.tif 000008
【図７】
0003117297.tif 000009